(57)【特許請求の範囲】
【請求項１】
回転体を有する回転型電気部品と、前記回転体に設けられた非円形の孔に嵌合された軸体を有し、前記回転型電気部品を操作する操作部材と、この操作部材の傾倒動作によって操作されるプッシュスイッチとを備え、前記軸体の軸線方向に対して直角方向に前記操作部材を倒した時、前記操作部材と共に前記回転体が傾倒動作を行い、前記操作部材により前記プッシュスイッチが操作されるようにしたことを特徴とする多方向入力装置。
【請求項２】
前記回転体の前記孔と前記操作部材の前記軸体とは、隙間の無い状態ではめ合わされたことを特徴とする請求項１記載の多方向入力装置。
【請求項３】
前記回転型電気部品は、前記回転体に傾倒動作を行わしめるための支持部材を有し、前記操作部材の傾倒動作時、前記回転体が前記支持部材に当接し、この当接部を支点として前記回転体が傾倒動作を行うようにしたことを特徴とする請求項１、又は２記載の多方向入力装置。
【請求項４】
前記支持部材は、前記回転型電気部品の一部を構成する絶縁基台、或いは取付板で形成されたことを特徴とする請求項３記載の多方向入力装置。
【請求項５】
前記支持部材は前記回転型電気部品の一部を構成する絶縁基台で形成し、この絶縁基台は、回転体に設けた軸部を遊嵌する孔を有し、前記操作部材の傾倒動作時、前記軸部が前記孔を形成する側面に当接して、前記回転体が傾倒動作を行うようにしたことを特徴とする請求項３記載の多方向入力装置。
【請求項６】
前記回転型電気部品は取付板を有し、この取付板は、前記回転体内に位置する筒状部を有し、前記操作部材の前記軸体が前記取付板側から前記筒状部内に挿通された状態で、前記回転体の非円形の前記孔に嵌合されたことを特徴とする請求項３記載の多方向入力装置。
【請求項７】
前記回転体は、円筒状に形成された保持部を有し、この保持部の外周部には、前記軸線方向に延びるコードパターンを設け、このコードパターンには、前記軸線方向に対して直角方向に配置された接触片を摺動させるようにしたことを特徴とする請求項１から６の何れかに記載の多方向入力装置。
【発明の詳細な説明】
【０００１】
【発明の属する技術分野】
本発明は、マウス等のコンピュータ端末機器、携帯電話機等の携帯用電子機器等に使用される多方向入力装置に関する。
【０００２】
【従来の技術】
従来の多方向入力装置の構成を図１８に基づいて説明すると、回転型電気部品５０は回転型エンコーダで構成されると共に、この回転型電気部品５０を構成する合成樹脂の成型品からなる絶縁基台５１は、中心部に円形の孔５１ａ設けた基板部５１ｂを有し、この基板部５１ｂには、複数個の接触片５２が埋設されている。
【０００３】
また、回転型電気部品５０のカバー５３は、円形の孔５３ａを有する筒状部５３ｂが設けられ、このカバー５３は、絶縁基台５１の開放部を覆うように絶縁基台５１に取り付けられている。
また、回転型電気部品５０の合成樹脂の成型品からなる回転体５４は、円板部５４ａと、円板部５４ａの両側から突出する軸部５４ｂ、５４ｃと、中心部に設けられた六角形の非円形の貫通孔５４ｄとを有すると共に、円板部５４ａの面にはコードパターン５５が形成されている。
【０００４】
そして、このような回転体５４は、軸部５４ｂを絶縁基台５１の孔５１ａに嵌合すると共に、軸部５４ｃを筒状部５３ｂの孔５３ａに嵌合し、更に、絶縁基台５１とカバー５３によって、回転体５４が軸線方向で挟持されて、回転可能に取り付けられている。
即ち、回転体５４は、絶縁基台５１とカバー５３とによって、軸線方向に対して傾くことがないように保持されたものとなっている。
【０００５】
また、回転体５４が取り付けられた時、回転体５４に設けられたコードパターン５５が接触片５２に接触し、そして、回転体５４を回転すると、接触片５２に摺動しながらコードパターン５５も回転して、パルス信号を発生するようになり、このような構成によって、回転型電気部品５０が形成されると共に、このような回転型電気部品５０は、プリント基板Ｐ２に取り付けられる。
【０００６】
また、従来の多方向入力装置は、プッシュスイッチ５６を有し、このプッシュスイッチ５６は、接点部（図示せず）を収納した合成樹脂の成型品からなる筺体５６ａと、この筺体５６ａに移動可能に取り付けられた押し釦５６ｂとを有し、このプッシュスイッチ５６は、回転型電気部品５０から所定間隔を置いた状態で、プリント基板Ｐ２に取り付けられている。
【０００７】
操作部材５７は、径の大きな操作部５７ａと、この操作部５７ａより径が小さく、操作部５７ａの両側から突出した軸体５７ｂ、５７ｃと、軸体５７ｂの一端部に設けられた正六角形球体部５７ｄとを有する。
そして、この操作部材５７は、軸体５７ｂ側の正六角形球体部５７ｄを絶縁基台５１側から回転体５４の貫通孔５４ａに嵌入すると共に、軸体５７ｃを筺体５６ａで保持することにより取り付けられ、また、軸体５７ｃと筺体５６ａ間には、コイルバネ５８を介在して、操作部材５７が水平線Ｚ２上に位置するようになっている。
これによって、操作部材５７は、回転動作と、正六角形球体部５７ｄの回転体５４への当接部を支点とした傾倒動作とが可能となっている。
【０００８】
このような構成を有する従来の多方向入力装置は、操作部材５７の操作部５７ａを回転すると、軸体５７ｂの正六角形球体部５７ｄによって回転体５４を回転させ、接触片５２に摺動しながらコードパターン５５が回転して、パルス信号を発生する。
また、操作部材５７を軸線方向（即ち、水平線Ｚ２）に対して直角方向に押圧すると、正六角形球体部５７ｄの回転体５４への当接部を支点として、軸体５７ｃがコイルバネ５８に抗して移動し、操作部材５７が傾斜線Ｙ２で示す位置に傾倒動作を行うと共に、軸体５７ｃで押し釦５６ｂを押圧して、プッシュスイッチ５６を操作する。
【０００９】
そして、操作部材５７の押圧を解除すると、コイルバネ５８によって操作部材５７は元の水平線Ｚ２上の位置に戻ると共に、プッシュスイッチ５６も元の状態に戻る。
このようにして、従来の多方向入力装置の操作が行われるが、操作部材５７の傾倒動作時、回転体５４に対して正六角形球体部５７ｄが円運動を行うようになっており、この円運動を円滑に行うために、正六角形球体部５７ｄの貫通孔５４ｄへの嵌合は緩く、従って、操作部材５７を回転した時、正六角形球体部５７ｄと回転体５４との間において、回転方向に遊びが生じ、操作部材５７の回転が回転体５４に直ちに伝達できないものであった。
また、操作部材５７の傾倒動作の繰り返しによって、正六角形球体部５７ｄと回転体５４との間で摩耗が生じ、これによって、回転方向の遊びが大きくなり、一層、操作部材５７の回転が回転体５４に直ちに伝達できないものであった。
【００１０】
【発明が解決しようとする課題】
従来の多方向入力装置は、正六角形球体部５７ｄが円運動を行うため、正六角形球体部５７ｄの貫通孔５４ｄへの嵌合は緩く、従って、操作部材５７を回転した時、正六角形球体部５７ｄと回転体５４との間において、回転方向に遊びが生じ、操作部材５７の回転が回転体５４に直ちに伝達できないという問題がある。また、操作部材５７の傾倒動作の繰り返しによって、正六角形球体部５７ｄと回転体５４との間で摩耗が生じ、これによって、回転方向の遊びが大きくなり、一層、操作部材５７の回転が回転体５４に直ちに伝達できないという問題がある。
【００１１】
そこで、本発明は、操作部材の回転を回転体に直ちに伝達でき、操作の確実な多方向入力装置を提供することを目的とする。
【００１２】
【課題を解決するための手段】
上記課題を解決するための第１の解決手段として、回転体を有する回転型電気部品と、前記回転体に設けられた非円形の孔に嵌合された軸体を有し、前記回転型電気部品を操作する操作部材と、この操作部材の傾倒動作によって操作されるプッシュスイッチとを備え、前記軸体の軸線方向に対して直角方向に前記操作部材を倒した時、前記操作部材と共に前記回転体が傾倒動作を行い、前記操作部材により前記プッシュスイッチが操作されるようにした構成とした。
【００１３】
また、第２の解決手段として、前記回転体の前記孔と前記操作部材の前記軸体とは、隙間の無い状態ではめ合わされた構成とした。
また、第３の解決手段として、前記回転型電気部品は、前記回転体に傾倒動作を行わしめるための支持部材を有し、前記操作部材の傾倒動作時、前記回転体が前記支持部材に当接し、この当接部を支点として前記回転体が傾倒動作を行うようにした構成とした。
また、第４の解決手段として、前記支持部材は、前記回転型電気部品の一部を構成する絶縁基台、或いは取付板で形成された構成とした。
また、第５の解決手段として、前記支持部材は前記回転型電気部品の一部を構成する絶縁基台で形成され、この絶縁基台は、回転体に設けた軸部を遊嵌する孔を有し、前記操作部材の傾倒動作時、前記軸部が前記孔を形成する側面に当接して、前記回転体が傾倒動作を行うようにした構成とした。
【００１４】
また、第６の解決手段として、前記回転型電気部品は取付板を有し、この取付板は、前記回転体内に位置する筒状部を有し、前記操作部材の前記軸体が前記取付板側から前記筒状部内に挿通された状態で、前記回転体の非円形の前記孔に嵌合された構成とした。
また、第７の解決手段として、前記回転体は、円筒状に形成された保持部を有し、この保持部の外周部には、前記軸線方向に延びるコードパターンを設け、このコードパターンには、前記軸線方向に対して直角方向に配置された接触片を摺動させるようにした構成とした。
【００１５】
【発明の実施の形態】
本発明の多方向入力装置の図面を説明すると、図１は本発明の多方向入力装置の要部断面図、図２は本発明の多方向入力装置に係り、操作部材の一部の正面図、図３は本発明の多方向入力装置に係り、操作部材の一部の側面図、図４は本発明の多方向入力装置の動作を示す要部断面図、図５は本発明の多方向入力装置の動作を示す要部拡大断面図である。
【００１６】
また、図６は本発明の多方向入力装置係り、エンコーダ本体部の正面図、図７は本発明の多方向入力装置係り、エンコーダ本体部の裏面図、図８は本発明の多方向入力装置係り、エンコーダ本体部の上面図、図９は本発明の多方向入力装置係り、エンコーダ本体部の下面図、図１０は本発明の多方向入力装置係り、エンコーダ本体部の分解斜視図、図１１は本発明の多方向入力装置係り、エンコーダ本体部の要部断面側面図、図１２は本発明の多方向入力装置係り、エンコーダ本体部の要部断面正面図である。
【００１７】
また、図１３は本発明の多方向入力装置係り、エンコーダ本体部の絶縁基台と回転体とを組み合わせた斜視図、図１４は本発明の多方向入力装置係り、エンコーダ本体部の回転体の断面図、図１５は本発明の多方向入力装置に係り、回転型電気部品の斜視図、図１６は本発明の多方向入力装置に係り、回転型電気部品の側面図、図１７は本発明の多方向入力装置に係り、回転型電気部品の断面図である。
【００１８】
次に、本発明の多方向入力装置に使用される回転型電気部品Ｄ１の構成を先ず説明すると、回転型電気部品Ｄ１は、この実施例では回転型エンコーダで形成されており、この構成を特に、図６〜図１７に基づいて説明すると、絶縁材の成型品からなる絶縁基台１は、矩形状の主基台部２と、主基台部２から直角に直立状態に設けられた側壁部３と、この主基台部２の両側から薄肉部４によって連結された一対の副基台部５とで構成されている。
そして、主基台部２には、その両側の端面に設けられた凹部２ａと、正面の端面の中央部に設けられた円柱状の凸部２ｂと、下面に設けられたテーパー部を有する一対の掛け止め部２ｃとを有する。
【００１９】
また、側壁部３は、主基台部２の上面の角部から直立状態に設けられ、この側壁部３には、中心部に設けられた鍔部３ａを有する円形状の孔３ｂと、この孔３ｂの両側から主基台部２に至って設けられた一対の逃げ孔３ｃと、上部から直角方向に延びる一対の上壁部３ｄと、一対の上壁部３ｄ間に設けられた溝部３ｅと、一対の上壁部３ｄの上面に設けられた段差を有する掛け止め部３ｆと、突起３ｇとを有する。
また、一対の副基台部５は、先端が丸みを持って端面に設けられた凸部５ａを有する。
そして、この絶縁基台１は、図１０に示す状態から薄肉部４を折り曲げて、主基台部２の凹部２ａに、副基台部５の凸部５ａを圧入することによって、図１３に示すように、矩形状の絶縁基台１が形成されるものである。
【００２０】
金属板からなる複数個の接触片６は、接触部６ａと、端子部６ｂとを有し、この複数個の接触片６は、それぞれ副基台部５に埋設されて取り付けられ、接触部６ａは絶縁基台１の上面から上方に突出すると共に、端子部６ｂは絶縁基台１の下面から下方に突出して、先端部の平坦面が絶縁基台１の一端、即ち、側壁部３とほぼ同一の位置において、平行な状態で位置するように折り曲げられている。
【００２１】
金属からなる共通接触片７は、一対の接触部７ａと、端子部７ｂとを有し、この共通接触片７は、側壁部３側に近い主基台部２の位置に埋設されて取り付けられ、接触部７ａは絶縁基台１の上面から上方に突出して、側壁部３の逃げ孔３ｃに位置すると共に、端子部７ｂは絶縁基台１の下面から下方に突出している。
【００２２】
また、この実施例において、複数個の接触片６の一部は、主基台部２と副基台部５とに跨って埋設されており、この接触片６の一部で、前述した主基台部２と副基台部５とを連結する薄肉部４が形成されたものとなっている。
なお、この薄肉部４は、接触片６とは別の板状の金属部材を絶縁基台１に埋設して、この金属部材で薄肉部４を形成しても良く、更に、主基台部２と副基台部５とを連結する薄肉部４は、絶縁基台１を構成する絶縁材からなる薄肉部４で形成しても良い。
【００２３】
絶縁材の成型品からなる円筒状の回転体８は、一端側に設けられた軸部８ａと、この軸部８ａに繋がって形成され、軸部８ａよりも大きな径の保持部８ｂと、保持部８ｂの一方側である回転軸方向と直交する端面８ｃに設けられたクリック用の凹凸部８ｄと、軸部８ａと保持部８ｂとの間に設けられ、保持部８ｂの他方側である回転軸方向と直交する端面８ｅと、中心部に設けられた六角状の非円形状の孔８ｆとを有する。
【００２４】
金属板からなるコード部材９は、特に図１４に示すように、コモンパターンを形成するリング状の板状部９ａと、この板状部９ａの内周部から折り曲げられ、コードパターンを形成する複数個の舌片９ｂとを有する。
そして、このコード部材９は、回転体８に埋設、或いは圧入されて取り付けられ、コモンパターンを形成するリング状の板状部９ａが端面８ｅに位置すると共に、コードパターンを形成する舌片９ｂが保持部８ｂの外円周面に露出した状態となっており、この舌片９ｂは、回転体８の軸線方向Ｇ１（図８参照）に延びている。
【００２５】
そして、このような構成を有する回転体８とコード部材９は、回転体８の軸部８ａを側壁部３の孔３ｂに挿入されて、回転可能に保持される。
この時、軸部８ａは、図１７に示すように、小さなクリアランスＫ１を持たせて、孔３ｂに緩くはめ合わされていて、回転体８が絶縁基台１に対して傾倒動作可能となっている。
そして、回転体８が絶縁基台１に取り付けられた時、共通接触片７の一対の接触部７ａが端面８ｅと対向した状態となって、コード部材９のコモンパターンである板状部９ａに接触した状態となる。
また、回転体８が絶縁基台１に取り付けられた時、複数個の接触片６は、それぞれ回転体８の円周面を挟んで互いに反対側の位置に配置され、コード部材９のコードパターンである舌片９ｂに接離するようになり、そして、一対の接触部６ａが位相差を持ってコードパターンと接するようにしている。
この時、接触片６は、図１１に示すように、軸線方向Ｇ１に対して直角方向に配置された状態にあって、コードパターンに摺接するようになっている。
【００２６】
金属板からなる係合部材１０は、矩形の板状の基部１０ａと、この基部１０ａの中央部にＣ字状に切り曲げされ、先端部に凸部を有する係合部１０ｂと、基部１０ａの下部に設けられた円形の孔１０ｃと、基部１０ａの両側部から折り曲げされた一対の側板１０ｄと、この側板１０ｄに設けられた切り起こし部１０ｅと、基部１０ａの上辺から折り曲げられ、先端部に係止部１０ｆを有するＴ型の上辺板１０ｇと、基部１０ａの下辺から折り曲げられ、中央部に矩形状の孔１０ｈを有するＣ字状の下辺板１０ｊとを有する。
【００２７】
そして、この係合部材１０は、係合部１０ｂが凹凸部８ｄを設けた回転体８の端面８ｃと対向するように絶縁基台１に合わせて、孔１０ｃに凸部２ｂを挿入する。
しかる後、上辺板１０ｇを上壁部３ｄ上に位置させて押し込み、係止部１０ｆを掛け止め部３ｆに掛け止めすると共に、上辺板１０ｇを溝部３ｅに位置させて、上辺部１０ｇが側壁部３に取り付けられる。
そして、この上辺板１０ｇの取付と同時に、下辺板１０ｊを主基台部２の下面に位置させて押し込み、孔１０ｈに掛け止め部２ｃを位置させて、下辺板１０ｊが掛け止め部２ｃに掛け止めされて、下辺板１０ｊが主基台部２に取り付けられる。
【００２８】
このようにして、係合部材１０は、回転体８に対して上下の位置で取り付けられた状態となると共に、側板１０ｄは、回転体８に対して左右の位置に配置されて状態となっている。
また、係合部材１０が取り付けられた時、係合部１０ｂの凸部は、回転体８の端面８ｃに設けられた凹凸部８ｄと係脱可能な状態で、凹凸部８ｄに係合してクリック機構を構成している。
更に、係合部材８，接触片６，及び共通接触片７は、絶縁基台１を基準面として、回転体８方向に延びた状態となっている。
そして、このような構成によって、エンコーダ本体部Ｅ１が形成されている。
【００２９】
また、図１５〜図１７に示すように、取付板１２は、半田付け可能な金属板からなり、中央部に設けられた円形の大きな孔１２ａを有する筒状部１２ｈと下部に設けられた小さな孔１２ｂとを有する平板部１２ｃと、この平板部１２ｃの両側部から対向して折り曲げられた一対の腕部１２ｄと、この腕部１２ｄの中央部に設けられた矩形状の孔１２ｅと、腕部１２ｄの側端部から折り曲げられた取付部１２ｆと、平板部１２ｃの取付部１２ｆ側に設けられた凸部１２ｇとを有する。
【００３０】
そして、このような取付板１２は、図１５〜図１７に示すように、エンコーダ本体部Ｅ１の係合部材１０側に位置させて、先ず、筒状部１２ｈを回転体８内に位置させた状態で、小さい孔１２ｂに絶縁基台１の凸部２ｂを挿入する。
しかる後、腕部１２ｄを係合部材１０の側板１０ｄ上で押し込み、孔１２ｅに切り起こし部１０ｅが位置して、腕部１２ｄが切り起こし部１０ｅに掛け止めされ、これによって、取付板１２が係合部材１０にスナップ止めされて、取付板１２が係合部材１０に取り付けられる。
【００３１】
また、取付板１２が取り付けられた時、平板部１２ｃが係合部材１０の板状の基部１０ａの外側に重ね合わされた状態になると共に、腕部１２ｄが回転体８に対して左右の横方向の位置で、係合部材１０の側板１０ｄに取り付けられ、また、回転体８の軸線方向Ｇ１に延びる腕部１２ｄの側端部から折り曲げられた取付部１２ｆの下面は、絶縁基台１の下面から延びた接触片６と共通接触片７のＬ字状の端子部６ｂ、７ｂとほぼ同一の位置に位置している。
【００３２】
更に、取付板１２が取り付けられた時、図１７に示すように、筒状部１２ｈと回転体８の間にはクリアランスＫ２を有し、このクリアランスＫ２は、クリアランスＫ１よりも大きく形成している。
また、回転体８は、係合部材１０によって側壁部３に当接している。
このようにして回転型電気部品Ｄ１である回転型エンコーダが形成されており、ここでは回転型エンコーダで示したが、その他の回転型電気部品を適用しも良いこと勿論である。
【００３３】
そして、取付板１２を取り付けた回転型電気部品Ｄ１は、図１６に示すように、主基台部２と副基台部５の下面側をプリント基板Ｐ１に対向させて、凸部１２ｇをプリント基板Ｐ１の孔１３に挿入して、回転型電気部品Ｄ１が位置決めされると共に、接触片６，共通接触片７の端子部６ｂ、７ｂ、及び取付板１２の取付部１２ｆがプリント基板Ｐ１の上面に形成された配線パターン（図示せず）上に位置した状態にする。
【００３４】
そして、このように構成された接触片６，共通接触片７，及び取付板１２は、クリーム半田により配線パターンに面実装されて、プリント基板Ｐ１に取り付けられ、これによって、回転型電気部品Ｄ１は、回転体８の軸線方向Ｇ１と平行な状態でプリント基板Ｐ１に取り付けられる。
【００３５】
また、このような構成を有する回転型電気部品Ｄ１である回転型エンコーダの操作を説明すると、先ず、取付板１２の孔１２ａを貫通して回転体８の孔８ｆに、後述する操作部材１８を嵌合して係合させた後、操作部材１８を回転すると、回転体８とコード部材９が軸部８ａを支持部として回転する。
そして、回転体８は、凹凸部８ｄが係合部１０ｂと係脱動作を行って、クリック動作を行うと共に、舌片９ｂが接触片６と接離し、且つ、共通接触片７が板状部９ａに常時接触して、接触片６と共通接触片７との間で、２相のパルス信号を発生すようになる。
【００３６】
また、本発明の多方向入力装置において、上記のような構成を有する回転型電気部品Ｄ１は、図１，図４に示すように、プリント基板Ｐ１に取り付けられる。プッシュスイッチ１５は、図１，図４に示すように、接点部（図示せず）を収納した筺体１６と、上下動可能に筺体１６に取り付けられ、常時上方に付勢された押し釦１７とで構成され、このプッシュスイッチ１５は、回転型電気部品Ｄ１と所定間隔を持たせた状態で、軸線方向Ｇ１の延長上においてプリント基板Ｐ１に取り付けられている。
【００３７】
合成樹脂の成型品等からなる操作部材１８は、径の大きな円柱状の操作部１８ａと、操作部１８ａの両側面１８ｂの中心部から操作部材１８の軸線方向Ｇ２に突出し、操作部１８ａの径より小さな円柱状の軸体１８ｃ、１８ｄと、この軸体１８ｃの端部に設けられた六角形の非円柱状の非円形部１８ｅと、軸体１８ｃの端面に設けられた半円球状の凸部１８ｆと、軸体１８ｃより径の大きな軸体１８ｄの端部に設けられた球面部１８ｇとを有する。
【００３８】
そして、この操作部材１８は、取付板１２側から軸体１８ｃが筒状部１２ｈをガイドにして孔１２ａに挿入されて、非円形部１８ｅを回転体８の非円形の孔８ｆに嵌合する。
この時、非円形部１８ｅと孔８ｆは、互いに強嵌合、或いはピッタリした隙間の無い状態ではめ合わされ、回転方向に互いに遊びの無い状態となっている。
また、軸体１８ｃが孔８ｆに挿入された際、凸部１８ｆが孔８ｆから外方に突出すると共に、他方の軸体１８ｄは、押し釦１７上に当接した状態となっている。
更に、この時、回転体８の軸線方向Ｇ１と操作部材１８の軸線方向Ｇ２とは、図４に示すように、一致した状態となっている。
【００３９】
合成樹脂の成型品からなるケース１９は、図１，図４に示すように、孔１９ａを有する上壁１９ｂと、上壁１９ｂの周囲から下方に延びる側壁１９ｃとを有する。
そして、このケース１９は、回転型電気部品Ｄ１とプッシュスイッチ１５を覆った状態で、プリント基板Ｐ１に取り付けられ、このケース１９が取り付けられた際、操作部１８ａの一部が孔１９ａから外方に突出すると共に、凸部１８ｆと球面部１８ｇとが側壁１９ｃに当接、或いは近接した状態となって、操作部材１８の軸線方向Ｇ２への移動を抑えるようになっている。
【００４０】
次に、このような構成を有する本発明の多方向入力装置の動作を説明すると、先ず、孔１９ａから突出した操作部１８ａを指で回転する。
すると、軸体１８ｃ、１８ｄが回転し、これによって、非円形部１８ｅを介して回転体８と共にコード部材９が回転して、コードパターンである舌片９ｂに接触片６が摺接して、パルス信号を発生する。
なお、係合部材１０が凹凸部８ｄの凹部に係合している時、このパルス信号がＯＦＦとなるように設定されている。
【００４１】
次に、軸線方向Ｇ２に対して直角方向に操作部材１８の操作部１８ａを押圧すると、図４，図５に示すように、操作部材１８は、回転型電気部品Ｄ１を支点として、軸体１８ｄ側が所定角度Ａ１傾いて傾倒動作を行い、これによって、押し釦１７が下方に移動し、プッシュスイッチ１５が操作（接点ＯＮからＯＦＦ、或いは接点ＯＦＦからＯＮ）される。
【００４２】
即ち、操作部材１８の傾倒動作は、図５に示すように、操作部材１８の押圧によって、先ず、回転体８の軸部８ａの下方が絶縁基台１の孔３ｂを形成する側面に当接し、更に押圧を続けると、当接部Ｔ１を支点として回転体８の傾倒を始め、同時にコード部材９の板状部９ａの最外周部が絶縁基台１に当接して、このコード部材９の当接部Ｔ２と軸部８ａの当接部Ｔ１による２点を支点として、回転体８が傾倒すると共に、この回転体８の傾倒動作に伴って操作部材１８は、回転体８と共に傾倒動作を行う。
【００４３】
その結果、回転体８は、操作部材１８と同じ所定角度Ａ２傾くと共に、回転体８の取付板１２側の部分は、回転体８の絶縁基台１側の部分よりも大きく移動するが、大きなクリアランスＫ２によって、回転体８の傾倒動作を許容するようになっている。
更に、回転体８が傾倒した際、軸線方向Ｇ１に延びるコードパターン（舌片９ｂ）と、これと直角方向に配置された接触片６とが接触しているため、コードパターンの接触片６への接触位置が下方に移動するだけで、両者の接触状態は確実に維持されるものである。
また、接触片６と舌片９ｂの接触位置が回転体８の傾倒中心に近接して設けられているので、接触片６が接している部分の舌片９ｂの変位は少なく、よって、不要のパルス信号を発生しにくいようになっている。
【００４４】
次に、操作部材１８の押圧を解除すると、軸体１８ｄが付勢された押し釦１７により元の状態に戻されて、操作部材１８と回転体８は、元の水平な状態に戻されると共に、プッシュスイッチ１５も元の状態に戻って、接点の切換が行われるようになる。
また、この操作部材１８の傾倒動作時、軸体１８ｄは、ケース１９に設けられた縦溝（図示せず）にガイドされて、下方への移動が正確に行えるようになっている。
このようにして、本発明の多方向入力装置の動作を行うものである。
【００４５】
なお、上記実施例において、回転体８の傾倒動作は、絶縁基台１を支持部材として傾倒動作を行うようにしたもので説明したが、取付板１２、或いはその他の部材を支持部材に使用しても良い。
【００４６】
【発明の効果】
本発明の多方向入力装置は、軸体１８ｃ、１８ｄの軸線方向Ｇ２に対して直角方向に操作部材１８を倒した時、操作部材１８と共に回転体８が傾倒動作を行い、操作部材１８によりプッシュスイッチ１５が操作されるようにしたため、軸体１８ｃと回転体８の孔８ｆとは、回転方向に遊びの無い状態による嵌合が可能となり、このため、操作部材１８の回転を回転体８に直ちに伝達できて、操作が確実で、精度の良い多方向入力装置を提供できる。
また、孔８ｆと軸体１８ｃとの間は、従来のような正六角形球体部の回転による摩耗が無く、長期にわたって精度の良い回転伝達ができる。
【００４７】
また、回転体８の孔８ｆと操作部材１８の軸体１８ｃとは、隙間の無い状態ではめ合わされたため、一層、操作が確実で、精度の良い多方向入力装置を提供できる。
また、回転型電気部品Ｄ１は、回転体８に傾倒動作を行わしめるための支持部材を有し、操作部材１８の傾倒動作時、回転体８が支持部材に当接し、この当接部を支点として回転体８が傾倒動作を行うようにしたため、その構成が簡単で、回転体８の傾倒動作の確実なものが得られる。
【００４８】
また、支持部材は、回転型電気部品Ｄ１の一部を構成する絶縁基台１、或いは取付板１２で形成されたため、部品点数が少なく、安価で、且つ、コンパクトな回転体８の傾倒動作の可能な構成が得られる。
また、支持部材は、回転型電気部品Ｄ１の一部を構成する絶縁基台１で形成され、この絶縁基台１は、回転体８に設けた軸部８ａを遊嵌する孔３ｂを有し、操作部材１８の傾倒動作時、軸部８ａが孔３ｂを形成する側面に当接して、回転体８が傾倒動作を行うようにしたため、その構成が間であると共に、操作部１８ａから遠い位置で傾倒動作の支点が形成され、従って、回転体８の傾きが少なく、接点の接触の良好なものが得られる。
【００４９】
また、回転型電気部品Ｄ１は取付板１２を有し、この取付板１２は、回転体８内に位置する筒状部１２ｈを有し、操作部材１８の軸体１８ｃが取付板１２側から筒状部１２ｈ内に挿通された状態で、回転体８の非円形の孔８ｆに嵌合されたため、軸体１８ｃが筒状部１２ｈをガイドして挿入できて、組立性が良好であると共に、軸体１８ｃは筒状部１２ｈにより略水平状態で孔８ｆに嵌合されて、組立時において、孔８ｆ、或いは軸体１８ｃの破損の少ないものが得られる。
【００５０】
また、回転体８は、円筒状に形成された保持部８ｂを有し、この保持部８ｂの外周部には、軸線方向Ｇ１に延びるコードパターンを設け、このコードパターンには、軸線方向Ｇ１に対して直角方向に配置された接触片６を摺動させるようにしたため、コードパターンの接触片６への接触位置が下方に移動するだけで、両者の接触状態は確実に維持できるものを提供できる。
【図面の簡単な説明】
【図１】本発明の多方向入力装置の要部断面図。
【図２】本発明の多方向入力装置に係り、操作部材の一部の正面図。
【図３】本発明の多方向入力装置に係り、操作部材の一部の側面図。
【図４】本発明の多方向入力装置の動作を示す要部断面図。
【図５】本発明の多方向入力装置の動作を示す要部拡大断面図。
【図６】本発明の多方向入力装置係り、エンコーダ本体部の正面図。
【図７】本発明の多方向入力装置係り、エンコーダ本体部の裏面図。
【図８】本発明の多方向入力装置係り、エンコーダ本体部の上面図。
【図９】本発明の多方向入力装置係り、エンコーダ本体部の下面図。
【図１０】本発明の多方向入力装置係り、エンコーダ本体部の分解斜視図。
【図１１】本発明の多方向入力装置係り、エンコーダ本体部の要部断面側面図。
【図１２】本発明の多方向入力装置係り、エンコーダ本体部の要部断面正面図。
【図１３】本発明の多方向入力装置係り、エンコーダ本体部の絶縁基台と回転体とを組み合わせた斜視図。
【図１４】本発明の多方向入力装置係り、エンコーダ本体部の回転体の断面図。
【図１５】本発明の多方向入力装置に係り、回転型電気部品の斜視図。
【図１６】本発明の多方向入力装置に係り、回転型電気部品の側面図。
【図１７】本発明の多方向入力装置に係り、回転型電気部品の断面図。
【図１８】従来の多方向入力装置の一部断面正面図。
【符号の説明】
１  絶縁基台
２  主基台部
２ａ  凹部
２ｂ  凸部
２ｃ  掛け止め部
３  側壁部
３ａ  鍔部
３ｂ  孔
３ｃ  逃げ部
３ｄ  上壁部
３ｅ  溝部
３ｆ  掛け止め部
３ｇ  突起
４  薄肉部
５  副基台部
５ａ  凸部
６  接触片
６ａ  接触部
６ｂ  端子部
７  共通接触片
７ａ  接触部
７ｂ  端子部
８  回転体
８ａ  軸部
８ｂ  保持部
８ｃ  端面
８ｄ  凹凸部
８ｅ  端面
８ｆ  孔
９  コード部材
９ａ  板状部（コモンパターン）
９ｂ  舌片（コードパターン）
１０  係合部材
１０ａ  基部
１０ｂ  係合部
１０ｃ  孔
１０ｄ  側板
１０ｅ  切り起こし部
１０ｆ  係止部
１０ｇ  上辺板
１０ｈ  孔
１０ｊ  下辺板
１２  取付板
１２ａ  孔
１２ｂ  孔
１２ｃ  平板部
１２ｄ  腕部
１２ｅ  孔
１２ｆ  取付部
１２ｇ  凸部
１２ｈ  筒状部
１３  孔
１５  プッシュスイッチ
１６  筺体
１７押し釦
１８操作部材
１８ａ  操作部
１８ｂ  側面
１８ｃ  軸体
１８ｄ  軸体
１８ｅ  非円形部
１８ｆ  凸部
１８ｇ  球面部
１９  ケース
１９ａ  孔
１９ｂ  上壁
１９ｃ  側壁
Ｅ１  エンコーダ本体部
Ｐ１  プリント基板
Ｄ１  回転型電気部品
Ｋ１  クリアランス
Ｋ２  クリアランス
Ｇ１  軸線方向
Ｇ２  軸線方向
Ａ１  所定角度
Ａ２  所定角度
Ｔ１  当接部
Ｔ２  当接部
【図１】
0003770768.tif 000002
【図２】
0003770768.tif 000003
【図３】
0003770768.tif 000004
【図４】
0003770768.tif 000005
【図５】
0003770768.tif 000006
【図６】
0003770768.tif 000007
【図７】
0003770768.tif 000008
【図８】
0003770768.tif 000009
【図９】
0003770768.tif 000010
【図１０】
0003770768.tif 000011
【図１１】
0003770768.tif 000012
【図１２】
0003770768.tif 000013
【図１３】
0003770768.tif 000014
【図１４】
0003770768.tif 000015
【図１５】
0003770768.tif 000016
【図１６】
0003770768.tif 000017
【図１７】
0003770768.tif 000018
【図１８】
0003770768.tif 000019